(57)【要約】【課題】携帯端末機器に対して常時装着が可能な保護カバーを提供する。【解決手段】携帯端末機器４の機器本体４１に装着される本体２について、対向する両側端部に折り曲げて形成された保持片２２、２３をそれぞれ形成し、保持片２２、２３を内側に鋭角状に傾斜した状態に構成する。機器本体４１を装着する際には、保持片２２、２３は、外側に押し広げられた状態に弾性変形する。この弾性変形によって、保持片２２、２３は、機器本体４１の側端辺に対して、両側から挟む方向に圧接した状態となり、機器本体４１を確実に保持することかせできる。【選択図】図１
2004130061.tif 000002
【特許請求の範囲】
【請求項１】
第１の機器本体と、該第１の機器本体に対して回動部を介して接続され、
第１の機器本体に対して開閉自在に設けられた第２の機器本体とを有し、
第１の機器本体と第２の機器本体を開いた状態で使用する携帯用電子機器を収納するケースであって、
第１の機器本体又は第２の機器本体の内、一方の表面の少なくもと一部を覆う本体と、
前記本体の対向する側端辺にそれぞれ立設され、前記本体で覆われた機器本体の対向する側端面に外側から圧接して、機器本体を保持する１対の保持片を有する携帯用電子機器保護ケース。
【請求項２】
前記本体と１対の保持片とは、金属板により一体として構成され、
前記１対の保持片は、内側に鋭角状に折り曲げられて構成され、機器本体を保持している状態では、外側に弾性変形した状態となる請求項１に記載の携帯用電子機器保護ケース。
【請求項３】
前記本体は、表面が軟質の被覆材によって覆われている請求項１又は２に記載の携帯用電子機器保護ケース。
【請求項４】
機器本体を収納するケースであって、
機器本体の一方の面を覆う保護部と、機器本体に設けられた外部機器接続部に対応する位置に設けられ、前記保護部材に対して折り曲げ自在に接続され、機器本体を保護する被覆状態と、機器本体を接続装置に接続した際に、外側に折り曲げられて外部機器接続部を露出させた露出状態とに変更可能な被覆部とを有する本体とを備えた携帯用電子機器保護ケース。
【請求項５】
保護部に設けられ、機器本体の対向する側端面に外側から挟み込むように圧接し、機器本体を保持する一対の保持片を有する請求項４に記載の携帯用電子機器保護ケース。
【請求項６】
被覆部に設けられ、機器本体の対向する側端面に外側から挟み込むように圧接し、機器本体を保持する一対の保持片を有する請求項４又は５に記載の携帯用電子機器保護ケース。
【請求項７】
前記本体の端部に折り曲げ自在に接続され、機器本体の他方の表面を外側から覆う被覆体を有する請求項１〜６のいずれか１に記載の携帯用電子機器保護ケース。
【請求項８】
さらに被覆体は、前記本体の有する保護部と被覆部に対向する位置に保護部と被覆部とを有する請求項４〜７のいずれか１に記載の携帯用電子機器保護ケース。
【請求項９】
前記被覆体の有する被覆部と、前記本体の有する被覆部との間には、両被覆部を連結した連結状態と、両被覆部が相互に離れた離脱状態とに切り換え可能な接合手段を備えている請求項８に記載の携帯用電子機器保護ケース。
【発明の詳細な説明】
【０００１】
【発明の属する技術分野】
この発明は、携帯電子端末機器を収納する保護ケースに関するものである。
【０００２】
【従来の技術】
従来、携帯電話やＰＤＡ（Ｐｅｒｓｏｎａｌ　Ｄｉｇｉｔａｌ　Ａｓｓｉｓｔａｎｔ）等の携帯用電子機器は、携帯して使用することを目的として開発されている。従って、室内等に設置して使用する機器と比較して、使用中に外傷を受ける確立が高い。そこで、このような外部からの衝撃などから保護するために、携帯用電子機器を収納して保護するケースが提案されている。
【０００３】
これらのケースには、携帯時のみ携帯用電子機器を収納して保護し、使用時には、ケースから取り出して使用する袋式ものや、使用時においても常に携帯用電子機器に装着されている常時装着式のものなどがある。
【０００４】
上記のような従来例としては、例えば以下に挙げられるような先行例が存在する。
【０００５】
【先行特許文献１】
特許第２９７２６２２号。
【０００６】
【発明が解決しようとする課題】
しかし、使用時に携帯用電子機器を取り出す方式のケースでは、使用時における保護は不可能であり、かつケース自体を遺失してしまう恐れがある。また、近年の機携帯用電子機器は、２つ折りになる構成となっており、使用時に開いた状態とし、内側面に設けられている表示画面を確認し、或いは操作部を操作する方式の機器が増えている。
【０００７】
一方、常時装着式のケースは、一般に、機器本体をケースの一部や装着用の帯び体などによって固定する構成となっている。この方式を、２つ折りとなる携帯用電子機器に装着するには、開いた状態における機器本体に帯び体などの装着用具を引っ掛ける必要があるが、これらの装着具は、機器本体を２つ折りとした際に、２つの機器本体の間に挟まれてしまい、かえって邪魔になるといった問題がある。このような欠点は、上記先行特許文献１に記載の携帯電話機用ケースによって解決されているが、この携帯電話機用ケースでは、固定手段１２の先端に設けられている爪によって、機体自体が強固に固定されているため、容易に着脱操作をすることが難しい。特に、携帯用電子機器では、充電や外部機器との接続などのために、専用に接続装置にセットする必要がある。この場合、機器本体に装着されているケースは、取り外さなければならならず、取り扱いが煩わしい。また、上記先行特許文献に記載のケースでは、機器本体に対してケースを着脱する際、爪によって本体を傷付ける恐れもある。
【０００８】
この発明の第１の目的は、２つ折りとなる携帯用電子機器に対して容易に装着が可能な保護ケースを提供すること、第２の目的は、携帯用電子機器を外部機器に取り付ける際においても取り外す必要のない保護カバーを提供することを目的としている。
【０００９】
【課題を解決するための手段】
以上のような目的は、以下の本発明により達成される。
【００１０】
（１）　第１の機器本体と、該第１の機器本体に対して回動部を介して接続され、
第１の機器本体に対して開閉自在に設けられた第２の機器本体とを有し、
第１の機器本体と第２の機器本体を開いた状態で使用する携帯用電子機器を収納するケースであって、
第１の機器本体又は第２の機器本体の内、一方の表面の少なくもと一部を覆う本体と、
前記本体の対向する側端辺にそれぞれ立設され、前記本体で覆われた機器本体の対向する側端面に外側から圧接して、機器本体を保持する１対の保持片を有する携帯用電子機器保護ケース。
【００１１】
（２）　前記本体と１対の保持片とは、金属板により一体として構成され、
前記１対の保持片は、内側に鋭角状に折り曲げられて構成され、機器本体を保持している状態では、外側に弾性変形した状態となる上記（１）に記載の携帯用電子機器保護ケース。
【００１２】
（３）　前記本体は、表面が軟質の被覆材によって覆われている上記（１）又は（２）に記載の携帯用電子機器保護ケース。
【００１３】
（４）　機器本体を収納するケースであって、
機器本体の一方の面を覆う保護部と、機器本体に設けられた外部機器接続部に対応する位置に設けられ、前記保護部材に対して折り曲げ自在に接続され、機器本体を保護する被覆状態と、機器本体を接続装置に接続した際に、外側に折り曲げられて外部機器接続部を露出させた露出状態とに変更可能な被覆部とを有する本体とを備えた携帯用電子機器保護ケース。
【００１４】
（５）　保護部に設けられ、機器本体の対向する側端面に外側から挟み込むように圧接して、機器本体を保持する一対の保持片を有する上記（４）に記載の携帯用電子機器保護ケース。
【００１５】
（６）　被覆部に設けられ、機器本体の対向する側端面に外側から挟み込むように圧接し、機器本体を保持する一対の保持片を有する上記（４）又は（５）に記載の携帯用電子機器保護ケース。
【００１６】
（７）　前記本体の端部に折り曲げ自在に接続され、機器本体の他方の表面を外側から覆う被覆体を有する上記（１）〜（６）のいずれか１に記載の携帯用電子機器保護ケース。
【００１７】
（８）　さらに被覆体は、前記本体の有する保護部と被覆部に対向する位置に保護部と被覆部とを有する上記（４）〜（７）のいずれか１に記載の携帯用電子機器保護ケース。
【００１８】
（９）　前記被覆体の有する被覆部と、前記本体の有する被覆部との間には、両被覆部を連結した連結状態と、両被覆部が相互に離れた離脱状態とに切り換え可能な接合手段を備えている上記（８）に記載の携帯用電子機器保護ケース。
【００１９】
【発明の実施の形態】
以下、本発明の好適実施形態について添付図面に基づいて詳細に説明する。図１は、本発明の携帯用電子機器保護ケース１の全体斜視図である。図２は、携帯用電子機器に装着された状態における携帯用電子機器保護ケース１を示す全体斜視図である。
本発明の携帯用電子機器保護ケース１は、本体２と、本体２の端部に折り曲げ自在に接続された被覆体３と、本体２の平板部２１の対向する側端辺にそれぞれ立設された保持片２２、２３ａ、２３ｂとを備えている。平板部２１は、保護する携帯用電子機器４の機器本体の大きさに合わせた大きさの形状に形成されている。
そして、対向する両側の側端辺には、平板部２１の端部を折り曲げた片によって構成された保持片２２、２３ａ、２３ｂが設けられている。片側の保持片２３ａ、２３ｂの間には、切り欠き２３２が形成され、この切り欠き２３２から、図３に示されているように、携帯用電子機器４の操作摘み４１３ａ、４１３ｂ等が露出される構成となっている。
【００２０】
また、被覆体接続端の反対側の端部には、２つ支持片２４１、２４２が立設されている。この支持片２４１、２４２も、平板部２１の端部を折り曲げた片によって構成されている。支持片２４１、２４２の間には、切り欠き２４３が設けられている。この切り欠き２４３から、図２及び図３に示されているように、携帯用電子機器４の接続端子４１４が露出される構成となっている。また、切り欠き２４３の底面側には、連結帯２５が固定されている。
以上のように構成された、平板部２１と、保持片２２、２３ａ、２３ｂと、支持片２４１、２４２とによって画成される空間が、携帯用電子機器４を収納する収納部２１５となる。この収納部２１５の底面２１４には、携帯用電子機器４の底面に設けられたスピーカやリセットボタンに対応した位置に、孔２１１、２１２が形成されている。
【００２１】
図４は、保持片２２の構成を示す拡大横断面図である。本体２は、金属板５で構成され、金属板５の表面は合成皮革や本皮等で構成された被覆材６１、６２で覆われている。そして、保持片２２と平板部２１の底面２１４との成す角度Θは、鋭角に構成されている。被覆材６１、６２は、本体２から更に延出し、被覆体３を構成している。即ち、被覆体３は、被覆材６１、６２を貼り合わせて構成されている。
被覆体３は、本体２との接続部３１において折り曲げ自在に構成され、この接続部３１において折り返されて、携帯用電子機器４の上面側を覆う構成となっている。図３に示されているように、被覆体３の表面３２には、ループ状の挿入部３４が設けられ、この挿入部３４に連結帯２５が挿入される。また、接続部３１には、孔３３が形成され、携帯用電子機器４の赤外線通信端子が露出できる構成となっている。
【００２２】
以上のように構成された携帯用電子機器保護ケース１に収納される携帯用電子機器４の構成について説明する。
携帯用電子機器４は、キー操作のためのキーが配列された入力操作部４１１を備えた第１の機器本体としての機器本体４１と、表示画面４２１を備えた第２の機体本体としての表示側本体４２とを備えている。機器本体４１の端部には、連結部４３が備えられ、この連結部４３において表示本体４２が、機器本体４１に対して回動自在に接続されている。機器本体４１と表示側４２とは、略同じ大きさに形成されており、図３に示されているように、操作部４１１と表示画面４２１を対向させる姿勢で２つ折り状態とすると、同じ大きさで重なるように構成されている。機器本体４１において、連結部４３の反対側の端部には、接続端子４１４が設けられている。また、機器本体４１の対向する側端面４１２、４１３には、既述の操作摘み４１３ａ、４１３ｂ等が設けられている。このような摘みは、片手で持った場合に、持った手の親指で操作し易いように、操作部４１１の左側端面に設けられている。また、右側端面４１３には、端片方向に沿って溝４１５が形成されている。
【００２３】
以上のように構成された携帯用電子機器保護ケース１の収納部２１５に、携帯用電子機器４を収納する。図５に示されているように、携帯用電子機器４を収納してない状態では、本体２の両側端に設けられた保持片２２、２３は、互いに内側に傾斜した状態となっている。この状態で、携帯用電子機器４の機器本体４１を押し込むと、図６に示されているように、保持片２２、２３は外側に押し広げられ、角部２２０の角度Θが広がった状態で、機器本体４１が収納される。このとき、保持片２２、２３の先端部内側面は、機器本体４１の側端面４１２、４１３に圧接された圧接部２２６、２３１となっている。
【００２４】
このような保持片２２、２３の変形は、芯材として使用されている金属板５の変形による。そして、金属板５は、金属板の弾性領域内の変形量で携帯用電子機器４が収められる構成となっている。従って、金属板５には、空の状態の保持片２２、２３の形状に戻ろうとする復元力が生じており、図６に示されているように、保持片２２、２３は、矢印方向に機器本体４１に対して押接された状態となっている。つまり、機器本体４１は、両側から挟持された状態となっている。
【００２５】
保持片２２、２３の圧接部２２６、２３１は、機器本体４１の側端面４１２、４１３に対して、面接触又は少なくとも線接触し、機器本体４１を保持している。この様に、両側から機器本体４１を保持する構成となっているので、操作部４１１が設けられている面上に、機器本体４１を固定するための固定具を設ける必要がない。また、線接触又は面接触により保持しているので、確実に保持することができる。さらに、芯材である金属板５と機器本体４１の間には被覆材６２が介在するため、機器本体４１を傷つけることがない。
さらに、少なくとも圧接部２２６、２３１の部分の被覆材６２を、合成ゴムや天然ゴムなどの弾性材で構成することにより、機器本体４１に確実に本体２が装着され、機器本体４１と本体２が容易に離脱しない構成とできる。
以上のような構成の他、表示側本体４２を本体２の収納部２１５に収納する構成としてもよい。さらに、携帯用電子機器４としては、小型パーソナルコンピュータ、携帯電話などが挙げられる。
【００２６】
さらに、本体２は、機器本体４１の一部を覆う構成であってもよい。例えば、本体２の長さを、機器本体４１の長さの半分程度に短縮し、機器本体４１の接続端子４１４側が一部露出した構成とすることもできる。この場合には、保持片２２と２３ｂで、機器本体４１を保持する。携帯用電子機器４をパーソナルコンピュータなどの外部機器に接続するための接続装置に接続端子４１４を接続する際、機器本体４１の一部が接続装置に嵌め合わされる構成が採られている場合がある。このような場合には、上記のように、機器本体４１の一部を露出した構成とすることによって、本発明の保護ケース１を装着した状態で、接続装置に機器本体４１を接続することが可能となり、保持片２２、２３により、機器本体４１を両側から挟み込む構成とすることによって、上記のような実施形態とすることが可能となる。
【００２７】
上記のように、被覆体３を設けることによって、携帯用電子機器の外側表面を全て覆うことができ、折り畳まれた収納状態において、携帯用電子機器の保護効果をより確実に発揮させることができる。また、機器本体の操作部位に応じて孔や切り欠きを設けることによって、保護ケースを装着した状態で、各種操作をすることができる。さらに、接触保持面によって機器本体に対して接触し、面接触によりこれを保持するので、一層確実に機器本体を保持することができる。
【００２８】
図７は、第２の実施形態の構成を示す全体斜視図である。図７に示されている携帯用電子機器保護ケース１Ａは、携帯用電子機器であるノート型パーソナルコンピュータ４Ａに装着される保護ケースである。この携帯用電子機器保護ケース１Ａは、携帯用電子機器４Ａの底面を覆う本体２Ａと、携帯用電子機器４Ａの上面を覆う被覆体３Ａと、被覆体３Ａと本体２Ａを折り曲げ自在に接続する接続部３１Ａとを備えている。本体２Ａ上に載置されたノート型パーソナルコンピュータ４Ａは、底面を本体２Ａで保護され、接続部３１Ａで折り曲げられて、重ね合わされた被覆体３Ａによって、上面が保護される。
【００２９】
被覆体３Ａの先端辺には、２つの連結帯３５１Ａ、３５２Ａが突出して設けられ、これらの連結帯３５１Ａ、３５２Ａに設けられたスナップボタン（雌）によって、本体２Ａの外側面に設けられたスナップボタン（雄）（図示せず）に係脱自在に構成されている。また、被覆体３Ａの両端辺にも同様に、連結帯３５３Ａ、３５４Ａが突出して設けられ、先端部にスナップボタン（雌）が設けられている。
【００３０】
本体２Ａは、保護部２０１Ａと、被覆部２０２Ａと、折り曲げ部２０３Ａとを備えている。被覆部２０２Ａは、収納されるノート型パーソナルコンピュータ４Ａに設けられた、外部接続装置との接続部４１Ａの配置位置に対応した位置に設けられている。被覆部２０２Ａは、折り曲げ部２０３Ａを介して保護部２０１Ａに接続されている。保護部２０１Ａと被覆部２０２Ａは、ノート型パーソナルコンピュータ４Ａを保護するために、十分な強度と剛性を備えており、例えば、皮革、合成皮革などにより構成されている。また、折り曲げ部２０３Ａは、被覆部２０２Ａを外側に傾ける際に折り曲がる部分であり、保護部２０１Ａや被覆部２０２Ａに比較してやわらかい材料で構成されている。
【００３１】
本体２Ａの先端辺は、内側に屈曲した壁面２４１Ａ、２４２Ａを備え、壁面２４１Ａ、２４２Ａと接続部３１Ａとの間に、ノート型パーソナルコンピュータ４Ａを収納する収納部２１５Ａが形成される。本体２Ａの両端辺には、内側に屈曲した側端片２２Ａ、２３Ａが形成され、その外側には、連結帯３５３Ａ、３５４Ａのスナップボタン（雌）が係合するスナップボタン（雄）がそれぞれ設けられている。
【００３２】
被覆体３Ａは、本体２Ａと同様に、保護部３０１Ａ、被覆部３０２Ａ、折り曲げ部３０３Ａとを備えており、ノート型パーソナルコンピュータ４Ａに装着された状態で、それぞれ本体２Ａの有する保護部２０１Ａ、被覆部２０２Ａ、折り曲げ部２０３Ａに対向する位置に設けられている。
本体２Ａの被覆部２０２Ａと、被覆体３Ａの被覆部３０２Ａとの間には、接合手段であるスライドファスナー５が設けられている。スライドファスナー５は、被覆部２０２Ａと被覆部３０２Ａの対向する端辺に、それぞれ縫い付けられた一対のファスナーストリンガーで構成されている。一方のファスナーストリンガーは、被覆部２０２Ａの端辺に縫い付けられたファスナーテープ５１１Ａと、ファスナーテープ５１１Ａに止着されたエレメント５２１Ａとを有し、他方のファスナーストリンガーは、被覆部３０２Ａの端辺に縫い付けられたファスナーテープ５１２Ａと、ファスナーテープ５１２Ａに止着されたエレメント５２２Ａとを有している。エレメント５２１Ａ、５２２Ａは、両エレメント５２１Ａ、５２２Ａを取り込んで摺動するスライダー５３Ａによって噛合・開離される。スライダー５３には、摘み５４Ａが取り付けられている。スライドファスナー５が閉じられた状態では、被覆部２０２Ａと被覆部３０２Ａが連結された状態となり、スライドファスナー５が開かれた状態では、被覆部２０２Ａと被覆部３０２Ａが離脱した状態となる。
【００３３】
以上のように構成された携帯用電子機器保護ケース１Ａについて、本ケース１Ａをノート型パーソナルコンピュータ４Ａに装着した状態で、パーソナルコンピュータなどの外部機器に接続するための接続装置にセットする場合について説明する。図８及び図９は、ノート型パーソナルコンピュータ４Ａを接続装置７にセットした状態を示すものである。ノート型パーソナルコンピュータ４Ａの接続部４１Ａが設けられている端部を、接続装置の接続部にセットするには、接続部４１Ａの近傍を外側に露出しなければならない。そこで、スライドファスナー５を開き、被覆部２０２Ａと被覆部３０２Ａとの連結を解除する。これにより、被覆部２０２Ａと被覆部３０２Ａはそれぞれ独立して、各折り曲げ部２０３Ａ、３０３Ａで折り曲げられることができ、図８、図９にそれぞれ示されているように、ノート型パーソナルコンピュータ４Ａの端部（接続部４１Ａが設けられている側）を露出させ、接続装置７にセットすることが可能となる。このような構成とすることにより、携帯用電子機器保護ケース１Ａを全て取り外す必要がなくなる。
【００３４】
図１０は、第３の実施形態の携帯用電子機器保護ケース１Ｂを示す全体斜視図である。この実施形態は、ＰＤＡ（Ｐｅｒｓｏｎａｌ　Ｄｉｇｉｔａｌ　Ａｓｓｉｓｔａｎｔ）等の小型携帯用電子機器（手のひらに載せられる程度の大きさ）を保護するケースである。
この実施形態の携帯用電子機器保護ケース１Ｂは、電子機器４Ｂの大きさにあわせて形成された、板状の本体２Ｂと、被覆体３Ｂとを備え、電子機器４Ｂの背面を本体２Ｂで保護し、表示画面のある正面を被覆体３Ｂで保護する構成となっている。本体２Ｂと被覆体３Ｂは、接続部３１で折り曲げ自在に連結されている。本体２Ｂは、保護部２０１Ｂと、被覆部２０２Ｂと、保護部２０１Ｂと被覆部２０２Ｂの間に設けられた折り曲げ部２０３Ｂとを備えている。
【００３５】
被覆部２０２Ｂは、収納される電子機器４Ｂにおける、外部接続装置との接続部４１４Ｂが設けられている位置に対応して設けられ、接続部４１４Ｂの設けられている端部に沿って設けられている。
被覆体３Ｂも同様に、保護部３０１Ｂ、被覆部３０２Ｂ、折り曲げ部３０３Ｂを有し、それぞれ本体２Ｂの有する保護部２０１Ｂ、被覆部２０２Ｂ、折り曲げ部２０３Ｂに対向する位置に設けられている。被覆部２０２Ｂ、３０２Ｂは、折り曲げ部２０３Ｂ、３０３Ｂにおいて、外側に折り曲げられ、電子機器４Ｂの、接続部４１４Ｂの周囲を露出させられる構成となっている。
【００３６】
被覆体３Ｂには、連結帯３５Ｂが端部中央に設けられ、先端部のスナップボタン（雌）は、本体２Ｂの端部中央外側に設けられたスナップボタン（雄）に係合する。この連結帯３５Ｂによって、被覆体３Ｂと本体２Ｂとが、電子機器４Ｂを両側から挟んで保護する状態に維持される。
被覆部２０２Ｂと被覆部３０２Ｂの間には、接合手段としてのスライドファスナー５Ｂが設けられている。このスライドファスナー５Ｂの構成及び作用は、第２実施形態の携帯用電子機器保護ケース１Ｂにおけるスライドファスナー５Ａと同様なので説明を省略する。スライドファスナー５Ｂを開いた状態で、一対の被覆部２０２Ｂ、３０２Ｂを外側に折り曲げることが可能となり、閉じた状態では、被覆部２０２Ｂ、３０２Ｂは、電子機器４Ｂを保護する状態に維持される。
【００３７】
本体２において、保護部２０１Ｂには、両端部に、保持片２２Ｂ、２３Ｂが設けられている。保持片２２Ｂ、２３Ｂは、収納される電子機器４Ｂの両側面に沿って配置されており、この保持片２２Ｂ、２３Ｂの間には、電子機器４Ｂを収納する収納部２１５Ｂが形成される。保持片２２Ｂ、２３Ｂには、対向する面が、それぞれ保持面２２１Ｂ、２３１Ｂとなっており、保持面２２１Ｂ、２３１Ｂにて、電子機器４Ｂを保持する。
保持片２２Ｂ、２３Ｂは、金属板を芯材とし、１枚の金属板により一体として構成されている。芯材である金属板は、保護部２０１Ｂ内に納められており、第１実施形態と同様に構成され、図４に示されているように、金属板の表面は、被覆材により覆われている。保持片２２Ｂ、２３Ｂは、電子機器４Ｂを間に挟んでいる状態では、外側に押し開かれで弾性変形し、その際の復元力により電子機器４Ｂを両側から押接し、これを保持している。
【００３８】
このような保持方式では、電子機器４Ｂを保持面２２１Ｂ、２３１Ｂに対して滑らせながら、容易に本体２Ｂから離脱させ、或は装着させることができ、この際、電子機器４Ｂに傷等をつけることもない。
同様に、被覆部２０２Ｂにも、保護部２０１Ｂと同様に保持片２４Ｂ、２５Ｂが設けられており、同様の構成で、同様の機能を備えている。被覆部２０２Ｂの保持構造が、両側から挟み込む保持片２４Ｂ、２５Ｂで構成されていので、スライドファスナー５Ｂを開いて被覆部２０２Ｂを外側に折り曲げる作業が可能となる。
【００３９】
被覆部２０２Ｂと被覆部３０２Ｂとを接合手段としては、スライドファスナーの他、図１１に示されているように、一方の被覆部３０２Ｂに、接合帯８１Ｂを設け、その内側先端部に、面状ファスナー８３Ｂを設け、他方の被覆部２０２Ｂの外側面に面状ファスナー８２Ｂを設け、面状ファスナー８３Ｂと面状ファスナー８２Ｂとを係合させて、被覆部２０２Ｂ、３０２Ｂを接合させる構成としてもよい。面状ファスナーは、係合位置を調整できる点で有利であるが、この他にスナップボタンにより、接合帯の係脱をおこなう構成とすることもできる。このような構成例は、第２の実施形態においても同様に採用することができる。
【００４０】
図１２は、第４の実施形態の携帯用電子機器保護ケース１Ｃを示す全体斜視図であり、展開して外側面の全体を表した斜視図である。この実施形態は、第３実施形態の電子機器と同様に、ＰＤＡ等の小型携帯用電子機器を保護するケースである。携帯用電子機器保護ケース１Ｃは、電子機器４Ｃの大きさにあわせて形成された、板状の本体２Ｃと、被覆体３Ｃとを備え、電子機器４Ｃの背面を本体２Ｃで保護し、正面を被覆体３Ｃで保護する構成となっている。本体２Ｃと被覆体３Ｃは、接続部３１Ｃで折り曲げ自在に連結されている。本体２Ｃは、保護部２０１Ｃと、被覆部２０２Ｃと、保護部２０１Ｃと被覆部２０２Ｃの間に設けられた折り曲げ部２０３Ｃとを備えている。保護部２０１Ｃと被覆部２０２Ｃは、電子機器４Ｃを保護するために、十分な強度と剛性を備えており、例えば、他の実施形態と同様に皮革、合成皮革などにより構成されている。また、折り曲げ部２０３Ｃは、被覆部２０２Ｃを電子機器４Ｃから外した際に折り曲がる部分であり、保護部２０１Ｃや被覆部２０２Ｃに比較してやわらかい材料で構成されている。
【００４１】
被覆部２０２Ｃは、収納される電子機器４Ｃにおける、外部接続装置との接続部が設けられている位置に対応して設けられ、接続部の設けられている端部側に設けられている。そして、被覆部２０２Ｃには接続部３１Ｃを介して、被覆体３Ｃが接続され、被覆部２０２Ｃ、接続部３１Ｃ、被覆体３Ｃは連続した１枚のシート材で構成されている。被覆体３Ｃの先端部には、連結帯３５Ｃが設けられている。連結帯び３４Ｃは、電子機器４Ｃを保護した状態で、本体２Ｃの外側に設けられたループ状の挿通部２６Ｃに挿通され、本体２Ｃと被覆体３Ｃとが、電子機器４Ｃの両面を保護している状態に維持する。
【００４２】
図１３に示されているように、本体２Ｃにおいて、保護部２０１Ｃの内側には、両端に保持片２２Ｃ、２３Ｃが形成されている。保持片２２Ｃ、２３Ｃの構成及び作用は、第１、第３の実施形態において設けられた保持片と同様に構成されている。つまり、金属板からなる単一の芯材により構成され、さらに、図４に示されているように、芯材の表面を覆う被覆材を備えている。保持片２２Ｃ、２３Ｃの間には、電子機器４Ｃを収納する収納部２１５Ｃが形成されている。また、保持片２２Ｃ、２３Ｃの相互に対向する面には、保持面２２１Ｃ、２３１Ｃが設けられ、この保持面２２１Ｃ、２３１Ｃが、電子機器４Ｃの側面に圧接されて、電子機器４Ｃを確実に保持する。
【００４３】
被覆部２０２Ｃには、保護部２０１Ｃと同様に、両端に板状の保持片２４Ｃ、２５Ｃが立設されている。この保持片２４Ｃ、２５Ｃは、保護部２０１Ｃに設けられている保持片２２Ｃ、２３Ｃと同様の構成、作用を有し、相互に対向する面に設けられた保持面２４１Ｃ、２５１Ｃは、電子機器４Ｃに圧接し、これを保持する。
折り曲げ部２０３Ｃは、柔軟性を有する材料で構成され、第２、第３の実施形態と同様に、例えば、金属板の芯材と被覆材からなる保護部２０１Ｃから、芯材を除いた被覆材のみからなる構成とすることができる。
【００４４】
図１４は、第４の実施形態である携帯用電子機器保護ケース１Ｃを電子機器Ｃに装着した状態で、電子機器４Ｃを外部装置７Ｃに接続した状態を示す斜視図である。
電子機器４Ｃ接続部３１Ｃは、電子機器４Ｃの接続部が設けられている端部を覆う位置にあるため、接続部を外部に臨ませるための窓３３Ｃが設けられている。この接続部は、例えば図１４に示されているように、外部装置７Ｃに設けられている接続端子に接続する場合の他、接続コードの端子を接続することもできる。つまり、図１４に想像線で示されているように、被覆体３Ｃによって、電子機器４Ｃの全体が保護されている場合には、この窓３３Ｃを介して、接続コードを接続部に接続することができ、携帯用電子機器保護ケース１Ｃから電子機器４Ｃを取り外す必要はない。
【００４５】
また、図１４に示されているように、外部装置７Ｃに、電子機器４Ｃを接続する場合には、次のような利点がある。被覆部２０２Ｃにおける保持は、両側からの、平らな保持面２４１Ｃ、２５１Ｃによる圧着によって保持されているため、電子機器４Ｃの側面と保持面２４１Ｃ、２５１Ｃとを滑らせながら、被覆部２０２Ｃを外すことができる。つまり、保護部２０１Ｃを電子機器４Ｃに装着した状態を維持しつつ、被覆部２０２Ｃのみを電子機器４Ｃから外し、折り曲げ部２０３Ｃで外側に折り返すことができる。これにより、電子機器４Ｃにおいて、外部装置７Ｃに接続される部分が露出し、電子機器４Ｃと外部装置７Ｃとの接続が可能となる。
【００４６】
この様に、第３実施形態及び第４実施形態の携帯用電子機器保護ケース１Ｂ、１Ｃは、それぞれ携帯用電子機器保護ケース１Ｂ、１Ｃを電子機器４Ｂ、４Ｃに装着した状態を維持しつつ、被覆部２０２Ｂ、２０２Ｃにおける保持片２４Ｂ、２５Ｂ又は２４Ｃ、２５Ｃの保持状態を解除して、外側に折り曲げ、外部装置との接続部を容易に露出させることができ、常時携帯用電子機器保護ケース１Ｂ、１Ｃを装着状態とすることができる。
【００４７】
【発明の効果】
請求項１に記載の発明によれば、機器本体を両側から挟み込んで保持する保持片を設けるとによって、２つ折りされて収納される携帯用電子機器においても、保護ケースを常時装着状態にして使用することが可能となる。
請求項２に記載の発明によれば、金属板の弾性変形により、機器本体を両側から挟み込む構成としたので、耐久性が向上し、より確実に機器本体と保持することができる。
【００４８】
請求項３に記載の発明によれば、軟質の被覆材を設けることによって、機器本体を傷つけることが抑制される。また、機器本体に取り付けられた状態で、被覆材が変形することによって、保持片と機器本体の接触面がひろくなり、一層確実に機器本体を保持することが可能となる。
請求項４に記載の発明によれば、ケースを装着状態で、機器本体の接続部を露出させることができ、ケースを完全に機器本体から取り外すことなく、外部装置に接続させることができる。
【００４９】
請求項５に記載の発明によれば、保護部において、機器本体を両側から挟み込んで保持する保持片を設けるとによって、保護部への機器本体の脱着が容易となる。
請求項６に記載の発明によれば、被覆部に保持片を設けることで、使用状態や非使用状態では、確実に機器本体を保護することができる。特に、機器本体を外部装置に接続する際に露出される部位ついて、確実に保護することができる。また、外部装置に接続するには、被覆部のみを折り返すことが可能で、機器本体から本発明の携帯用電子機器保護ケースを取り外すことなく、外部装置に接続することが可能となる。
【００５０】
請求項７に記載の発明によれば、被覆体を設けることで、機器本体の全体を保護することができる。
請求項８に記載の発明によれば、被覆体について、本体の被覆部に対向する位置に被覆部を設けることで、本体と被覆体によって保護されている状態の機器本体を、各被覆部を折り返すことで、外部装置に装着することが可能となる。
請求項９に記載の発明によれば、一対の被覆部の間に接合手段を設けることで、離脱状態では機器本体の外部装置との接続が可能な状態とし、かつ、連結状態では、被覆部の折り返りを防止し、機器本体の保護機能を確保することができる。
【図面の簡単な説明】
【図１】本発明の第１実施形態である携帯用電子機器保護ケースの全体斜視図である。携帯用電子機器に装着された状態における携帯用電子機器保護ケース１を示す全体斜視図である。
【図２】携帯用電子機器に装着された状態における携帯用電子機器保護ケースを示す全体斜視図である。
【図３】収納状態の携帯用電子機器に装着された状態における携帯用電子機器保護ケースを示す全体斜視図である。
【図４】保持片の構成を示す、本体の拡大横断面図である。
【図５】本発明の携帯用電子機器保護ケースに携帯用電子機器を収納する直前の状態を示す、本体の横断面図である。
【図６】本発明の携帯用電子機器保護ケースに携帯用電子機器を収納した状態を示す、本体の横断面図である。
【図７】本発明の第２実施形態の携帯用電子機器保護ケースを示す全体斜視図である。
【図８】電子機器が外部装置に装着された状態を示す部分斜視図である。
【図９】電子機器が外部装置に装着された状態を示す部分斜視図である。
【図１０】本発明の第３実施形態の携帯用電子機器保護ケースを示す全体斜視図である。
【図１１】本発明の第３実施形態の携帯用電子機器保護ケースの他の構成例を示す部分斜視図である。
【図１２】本発明の第４実施形態の携帯用電子機器保護ケースを示す全体斜視図である。
【図１３】同じく、部分斜視図である。
【図１４】電子機器が外部装置に装着された状態を示す部分斜視図である。
【符号の説明】
１　携帯用電子機器保護ケース
２　本体
２２　保持片
２３　保持片
３　被覆体
４　携帯用電子機器
５　金属板
６１　被覆材
６２　被覆材
２０１Ａ　保護部
２０２Ａ　被覆部
２０３Ａ　折り曲げ部
５　スライドファスナー
【図１】
2004130061.tif 000003
【図２】
2004130061.tif 000004
【図３】
2004130061.tif 000005
【図４】
2004130061.tif 000006
【図５】
2004130061.tif 000007
【図６】
2004130061.tif 000008
【図７】
2004130061.tif 000009
【図８】
2004130061.tif 000010
【図９】
2004130061.tif 000011
【図１０】
2004130061.tif 000012
【図１１】
2004130061.tif 000013
【図１２】
2004130061.tif 000014
【図１３】
2004130061.tif 000015
【図１４】
2004130061.tif 000016